(57)【要約】【課題】ＡＣアダプタ未使用時において、コードに異常な外力が加わらないようにコード収納をなすＡＣアダプタのコード収納用アタッチメントを得る。【解決手段】ＡＣアダプタ２のＡＣプラグ２１を回動させて本体２０から突出させた状態で、アタッチメント１の凸部１４に設けられているプラグ差込孔１５にＡＣプラグ２１を差込む。この状態で、ＡＣプラグ２１を回動させて本体２０に収納させることにより、ＡＣアダプタ２上にアタッチメント１が載置されて固定される。このとき、コード２２をアタッチメント１の溝１３に巻付けて、コネクタ２３をコネクタ収容部１６に収容する。これにより、コード２２の収容が可能となり、コード２２へ異常な力が加わらないようになる。【選択図】      図１
2004327139.tif 000002
【特許請求の範囲】
【請求項１】
箱型本体に対して回動自在に軸支されてこの本体に収納可能なＡＣプラグを有するＡＣアダプタのコード収容アタッチメントであって、
前記ＡＣアダプタのコードを巻付ける溝部と、前記ＡＣプラグを差込むための差込み孔部とを含み、
前記ＡＣプラグが前記本体に収納された位置において、前記差込み孔部に前記ＡＣプラグが差込まれた状態で、前記ＡＣアダプタの前記箱型本体に載置可能な構造を有することを特徴とするＡＣアダプタのコード収容アタッチメント。
【請求項２】
前記コード先端に設けられたコネクタを収容するコネクタ収容部を、更に含むことを特徴とする請求項１記載のＡＣアダプタのコード収容アタッチメント。
【請求項３】
前記箱型本体に載置される面は、前記箱型本体の載置面と略同一大きさであることを特徴とする請求項１または２記載のＡＣアダプタのコード収容アタッチメント。
【請求項４】
箱型本体に対して回動自在に軸支されてこの本体に収納可能なＡＣプラグを有するＡＣアダプタのコード収容アタッチメントであって、
前記コードを巻付けるための溝の底面を形成する側壁部と、この側壁部の上下に設けられた一対のフランジと、この一対のフランジの一方に取付けられ前記ＡＣプラグを差込むための差込み孔を有する凸部とを含み、
前記ＡＣプラグが前記本体に収納された位置において、前記差込み孔に前記ＡＣプラグが差込まれた状態で、前記ＡＣアダプタの前記箱型本体の上面に前記一対のフランジの一方が載置可能な構造を有することを特徴とするＡＣアダプタのコード収容アタッチメント。
【請求項５】
前記コード先端に設けられたコネクタを収容すコネクタ収容部が、前記一対のフランジの他方に設けられていることを特徴とする請求項４記載のＡＣアダプタのコード収容アタッチメント。
【請求項６】
前記一対のフランジは前記箱型本体の上面と略同一大きさを有することを特徴とする請求項４または５記載のＡＣアダプタのコード収容アタッチメント。
【発明の詳細な説明】
【０００１】
【発明の属する技術分野】
本発明はＡＣアダプタのコード収容アタッチメントに関し、特に交流を直流に変換して各種電子機器に対して直流電力を供給するＡＣアダプタのコード収容アタッチメントに関するものである。
【０００２】
【従来の技術】
電子機器に対して直流電力を供給するために、商用交流電源を直流電源に変更するＡＣアダプタがある。この様なＡＣアダプタとしては種々のタイプがあり、例えば、ＡＣコンセントへの差込み用のＡＣプラグが、本体ケースに回動自在に軸支されることにより、当該ケースに対して収容、突出可能に構成されたものがある。
【０００３】
これ等ＡＣアダプタにおいては、本体ケースから電子機器へ直流電源を供給するためのコードが設けられており、その先端部分には、電子機器のリセプタクルと嵌合するコネクタが取付けられている。従って、このＡＣアダプタ未使用時等の保管の際や、携帯の際には、コードを丸めたり結んだりするなどの処置をする必要があるが、単に丸めただけでは、解けてしまったりして処理が煩雑になる。また、丸めたり、結んだりすることによって、コード自体に異常なストレスがかかり、断線の可能性がある。
【０００４】
ここで、特許文献１を参照すると、ＡＣアダプタを収納する収納部の外周に、コードを巻付けるための溝を設けたＡＣアダプタ用ケースが開示されている。ＡＣアダプタを保管したり、携帯したりするときに、このＡＣアダプタをケースの収納部へはめ込んで、コードを溝へ巻付けることにより、コードの処理を容易とし、コードへの異常ストレスをなくすようになっている。
【０００５】
【特許文献１】
実開平６−８８１９６号公報
【０００６】
【発明が解決しようとする課題】
上述した特許文献１に開示のＡＣアダプタ用ケースにおいては、ケースの収納部にＡＣアダプタをはめ込むだけの構造であり、両者を固定する機構は何等設けられていない。そのために、ケースからＡＣアダプタがずれたり、離脱することも考えられる。この様な場合、ＡＣアダプタのコードが、ケースのコード巻付け部分に巻付けられているために、やはりコードに異常なストレスが加わることがあり、断線の可能性は存在することになる。
【０００７】
本発明の目的は、ＡＣアダプタのコードを収納する際に、ＡＣアダプタを固定してコードに対して異常なストレスが加わらないようにしたＡＣアダプタのコード収容アタッチメントを提供することである。
【０００８】
【課題を解決するための手段】
本発明によるＡＣアダプタのコード収容アタッチメントは、箱型本体に対して回動自在に軸支されてこの本体に収納可能なＡＣプラグを有するＡＣアダプタのコード収容アタッチメントであって、前記ＡＣアダプタのコードを巻付ける溝部と、前記ＡＣプラグを差込むための差込み孔部とを含み、前記ＡＣプラグが前記本体に収納された位置において、前記差込み孔部に前記ＡＣプラグが差込まれた状態で、前記ＡＣアダプタの前記箱型本体に載置可能な構造を有することを特徴とする。
【０００９】
本発明による他のＡＣアダプタのコード収容アタッチメントは、箱型本体に対して回動自在に軸支されてこの本体に収納可能なＡＣプラグを有するＡＣアダプタのコード収容アタッチメントであって、前記コードを巻付けるための溝の底面を形成する側壁部と、この側壁部の上下に設けられた一対のフランジと、この一対のフランジの一方に取付けられ前記ＡＣプラグを差込むための差込み孔を有する凸部とを含み、前記ＡＣプラグが前記本体に収納された位置において、前記差込み孔に前記ＡＣプラグが差込まれた状態で、前記ＡＣアダプタの前記箱型本体の上面に前記一対のフランジの一方が載置可能な構造を有することを特徴とする。
【００１０】
【発明の実施の形態】
以下に図面を参照しつつ本発明の実施例につき説明する。図１は本発明の一実施例を示す構成図であり、図１（ａ）は本発明の一実施例によるアタッチメント１とＡＣアダプタ２との関係を示す斜視図、図１（ｂ）はアタッチメント１の側面図である。また、図２は当該アタッチメント１の斜視図（ａ）、側面図（ｂ）、正面図（ｃ）を夫々示しており、図３はアタッチメント１とＡＣアダプタ２との装着状態を示す外観斜視図である。これ等図１〜図３において、同等部分は同一符号により示している。
【００１１】
これ等図１〜図３を参照すると、本アタッチメント１は、ＡＣアダプタ２のコード２２を巻付けるための溝１３の底面となる側壁部１０と、この側壁部１０の上下にそれぞれ取付けられた上下一対のフランジ１１，１２と、下側フランジ１２に突出して取付けられた凸部１４とを有している。この凸部１４には、ＡＣアダプタ２のＡＣプラグ２１を差込むためのプラグ差込孔１５が設けられている。また、上側フランジ１１には、ＡＣプラグ２に接続されているコード２２の先端部分に設けられているコネクタ２３を収容するためのコネクタ収容部１６が設けられており、また、このフランジ１１の側面には、コードを嵌合するためのコード嵌合部１７が設けられている。
【００１２】
ＡＣアダプタ２は箱型本体２０を有しており、ＡＣプラグ２１がこの本体２０に対して回動自在に軸支され、この本体に収納可能な構造である。本体２０にはコード２２が接続されて、その先端部分にはコネクタ２３が取付けられている。このコネクタ２３を、図示せぬ電子機器のリセプタクルに嵌合させることにより、ＡＣアダプタ２から所望の直流電源が、当該電子機器へ供給されることになる。なお、この様な電源供給時には、ＡＣアダプタ２のＡＣプラグ２１を回動させて本体２０から突出するようにし、この突出したＡＣプラグ２１を商用のＡＣコンセント（図示せず）へ差込むことで、交流／直流変換が行われて、電子機器への電源供給が可能となるのである。
【００１３】
電子機器への電源供給が終了すると、ＡＣプラグ２１はＡＣアダプタの本体２０から突出させたままの状態で、この突出したＡＣプラグ２１をアタッチメント１の凸部１４に設けられたプラグ差込孔１５に差込み、ＡＣプラグ２１を本体２０に対して回動させて本体２０へ収納させることにより、アタッチメント１は、図３に示す如く、ＡＣアダプタ２上に載置された状態になって、ＡＣアダプタ２に固定されることになる。そして、コード２２をアタッチメント１の溝１３に沿って巻付けることにより、コード２２が収容可能となる。
【００１４】
このとき、コネクタ２３はアタッチメント１の上側フランジ１１に設けられているコネクタ収容部１６に収容して、コネクタ２３近傍のコードをコード嵌合部１７にはめ込むことにより、コネクタ２３とコード２２も安定して固定される。
【００１５】
アタッチメント１の上下フランジ１１，１２の大きさは、ＡＣアダプタ２の箱型本体２０の当該アタッチメント載置面の大きさと略同一とすることにより、アタッチメント１とＡＣアダプタ２とが、図３に示す如く、一本の四角柱状となって、出っ張り等の不要部分が生ずることがなく、すっきりとまとまって携帯や保管が容易となる。
【００１６】
図４及び図５は本発明の他の実施例を示す図であり、図４はこの実施例によるアタッチメント１とＡＣアダプタ２との関係を示す斜視図、図５（ａ）はＡＣアダプタ２をアタッチメント１に装着した状態を示す斜視図、図５（ｂ）は（ａ）の状態においてコードを収容した状態を示す斜視図である。図４，５において、図１〜図３と同等部分は同一符号により示している。
【００１７】
先の実施例においては、ＡＣアダプタ２とアタッチメント１とを積層する形で両者を装着するようにしているが、容積的には、得策ではない。そこで、本実施例では、図５に示す如く、アタッチメント１にＡＣアダプタ２を嵌込む形で両者を装着する構造としている。
【００１８】
すなわち、上下両フランジ１１，１２にＡＣアダプタ２の箱型本体２０がすっぽりと挿入可能なＡＣアダプタ挿入部１８を設け、上側フランジ１１にコネクタ２３を収納するコネクタ収納用ポケット３２を設けている。
【００１９】
ＡＣアダプタ２を使用しないときは、ＡＣアダプタ２にアタッチメント１を被せ、アタッチメント３の外周に形成されている溝１３に、ＡＣアダプタ２のコード２２を巻付け、コネクタ２３を収納ポケット３２に収納することにより、不要なコード２２及びコネクタ２３を収納することが可能となる。
【００２０】
また、このアタッチメント１を、ソフトモールド等の弾性のある材質を用いて構成することにより、落下等による不当な衝撃力に対する緩衝機能（クッション機能）を持たせることも可能である。
【００２１】
【発明の効果】
以上述べた如く、本発明によれば、ＡＣアダプタ不使用時におけるＡＣプラグの収納状態を利用して、アタッチメントを固定するようにしたので、ＡＣアダプタのＡＣコードに対して不要な力（ストレス）が加わることが防止され、断線等を予防できるという効果がある。
【図面の簡単な説明】
【図１】本発明の一実施例を説明する斜視図であり、（ａ）はＡＣアダプタとの関係を示す図、（ｂ）は側面図である。
【図２】本発明の一実施例の構成を示す図であり、（ａ）は斜視図、（ｂ）は側面図、（ｃ）は正面図である。
【図３】本発明の一実施例のアタッチメントのＡＣアダプタへの装着時の外観斜視図である。
【図４】本発明の他の実施例を説明する斜視図である。
【図５】本発明の他の実施例のアタッチメントのＡＣアダプタへの装着時の外観斜視図である。
【符号の説明】
１      アタッチメント
２      ＡＣアダプタ
１０    側壁部
１１    上側フランジ
１２    下側フランジ
１３    溝
１４    凸部
１５    プラグ差込孔
１６    コネクタ収容部
１７    コード嵌合部
２０    箱型本体
２１    ＡＣプラグ
２２    コード
２３    コネクタ
３２    コネクタ収納用ポケット
【図１】
2004327139.tif 000003
【図２】
2004327139.tif 000004
【図３】
2004327139.tif 000005
【図４】
2004327139.tif 000006
【図５】
2004327139.tif 000007